(57)【要約】【課題】手への負担が少なく、より製造が容易で、涼風を供給可能なうちわを提供する。【解決手段】水媒体を紙や不織布、布などから成る水拡散布に供給し湿潤させ、その水媒体が蒸発する際に周囲から熱を奪う気化熱により温度の低下した涼風を供給可能なうちわであって、前記うちわは、柄部と該柄部に接続された単数または複数の骨材及び前記骨材に水拡散布を張ったシート状の面部とで構成されるうちわ本体と、水媒体を収納する液体タンクと、シート状の面部に水媒体を供給する細孔を有する細管とで構成され、前記液体タンクと細孔を有する細管のうち、少なくとも一方がうちわ本体に対して着脱自在であることを特徴とするうちわである。【選択図】図１
2020175110.tif 000002
【特許請求の範囲】
【請求項１】
水媒体を紙や不織布、布などから成る水拡散布に供給し湿潤させ、その水媒体が蒸発する際に周囲から熱を奪う気化熱により温度の低下した涼風を供給可能なうちわであって、
前記うちわは、柄部と該柄部に接続された単数または複数の骨材及び前記骨材に水拡散布を張ったシート状の面部とで構成されるうちわ本体と、
水媒体を収納する液体タンクと、
シート状の面部に水媒体を供給する細孔を有する細管とで構成され、
前記液体タンクと細孔を有する細管のうち、少なくとも一方がうちわ本体に対して着脱自在であることを特徴とするうちわ。
【請求項２】
前記液体タンクがうちわ本体に対して着脱自在であることを特徴とする請求項１記載のうちわ。
【請求項３】
導管は液体タンクと細孔を有する細管をつなぐもので、前記液体タンクまたは導管に水媒体の供給を調整、遮断し得る調整弁を備えることを特徴とする請求項１又は請求項２記載のうちわ。
【請求項４】
液体タンクから水媒体を送り出すためのポンプを前記液体タンクまたは導管に備えることを特徴とする請求項１、請求項２又は請求項３記載のうちわ。
【請求項５】
請求項１記載のうちわに使用されるうちわ用水媒体供給具であって、液体タンクと細孔を有する細管とを含んで構成され、これらがうちわ本体に対して着脱自在であることを特徴とするうちわ用水媒体供給具。
【発明の詳細な説明】
【技術分野】
【０００１】  本発明は、気化熱により温度の低下した涼風を供給するうちわに関するものである。
【背景技術】
【０００２】  従来の気化熱を利用する携帯用の送風器具として、美濃手漉き和紙を利用した「水うちわ」がある。「水うちわ」は、液体を洗面器などに張り、うちわをその液体に浸して和紙を濡らし、和紙表面の液体が周囲から熱を奪って蒸発することにより涼風をつくりだすうちわである。【０００３】  特許文献１、特許文献２ではうちわの柄部に液体タンクを備えたうちわや、特許文献３では柄部が着脱自在な液体タンクのうちわがあり、うちわと液体タンクが一体型のものが考案されている。【０００４】  液体の導出路として、特許文献２、特許文献３ではうちわ柄部の液体タンクに支持され扇状に張り出された複数の骨材に液体タンクから連通する様に形成された細管や溝を通して、また特許文献１ではうちわ柄部の液体タンクから連通するチューブを通して液体が液体タンクから供給されるものが考案されている。【０００５】  さらに液体の導出路として、特許文献３では前記の骨材に施された細管に形成された多くの微細な穴や、骨材に形成された溝から、また特許文献１、特許文献２では前記の液体タンクから連通する骨材やチューブの先端から液体が外部へ供給されるものが考案されている。【０００６】  また、液体タンクから液体を送り出す方法として特許文献１、特許文献２では遠心力を、特許文献３では毛細管現象や圧縮充填されたボンベを利用するものが考案されている。【０００７】  特許文献１では柄部の液体タンクと導出路出口の間に芳香剤の通過量を調節し得る調整弁が備えられたものが考案されている。【０００８】  以上の前記先行技術として、柄部の液体タンク、液体の流水経路である細管や溝、チューブ、そして調整弁等がうちわに付随する、一体型のうちわが考案されている。
【先行技術文献】
【特許文献】
【０００９】
【特許文献１】特開２０１３−２３３３９０号公開
【特許文献２】特開２０１２−２０５８６９号公開
【特許文献３】実開平５−４３９１４号公開
【発明の概要】
【発明が解決しようとする課題】
【００１０】  従来の気化熱を利用するうちわは、うちわの柄部が液体収納容器であり、全ての流水経路がうちわ本体で完結した一体型のものである。
しかしながらこのような一体型のうちわは、液体タンクが満タンの場合、満タンの液体タンクを振って扇がなければならず、手への負担は液体タンクの重さの分だけ増すことになり、例えば夏場の公園で、母親がベビーカーに座る子供に従来の気化熱を利用するうちわを使用して扇いであげるのは、手への負担を考えると長時間の使用は困難であった。
また、一体型のうちわは、うちわ柄部の液体タンクに支持され扇状に張り出された複数の骨材に、液体タンクから連通する様に細管や溝を施し、更に前記骨材の細管に扇部に液体を供給すための微細な穴を多数施しており、骨材に精密な加工が必要となる。さらにうちわの面材を骨部に貼るときは骨部の微細な穴や溝を接着剤等で塞がないようにしなければならず、貼り合わせの加工も精密さが必要である。【００１１】  本発明は液体タンクや細孔を有する細管、調整弁などの水媒体供給経路をうちわ本体とは別に設けることにより、手への負担が少なく、携帯性、デザインを損なうことなく、より製造が容易な、気化熱により温度の低下した涼風を供給可能なうちわを提供することを目的とする。
【課題を解決するための手段】
【００１２】  請求項１記載の発明は、水媒体を紙や不織布、布などから成る水拡散布に供給し湿潤させ、その水媒体が蒸発する際に周囲から熱を奪う気化熱により温度の低下した涼風を供給可能なうちわであって、前記うちわは、柄部と該柄部に接続された単数または複数の骨材及び前記骨材に水拡散布を張ったシート状の面部とで構成されるうちわ本体と、水媒体を収納する液体タンクとシート状の面部に水媒体を供給する細孔を有する細管とで構成され、前記液体タンクと細孔を有する細管のうち、少なくとも一方がうちわ本体に対して着脱自在であることを特徴とするうちわである。【００１３】  請求項２記載の発明は、前記液体タンクがうちわ本体に対して着脱自在であることを特徴とする請求項１記載のうちわである。【００１４】  請求項３記載の発明は、導管は液体タンクと細孔を有する細管をつなぐもので、前記液体タンクまたは導管に水媒体の供給を調整、遮断し得る調整弁を備えることを特徴とする請求項１又は請求項２記載のうちわである。【００１５】  請求項４記載の発明は、液体タンクから水媒体を送り出すためのポンプを前記液体タンクまたは導管に備えることを特徴とする請求項１、請求項２又は請求項３記載のうちわである。【００１６】  請求項５記載の発明は、請求項１記載のうちわに使用されるうちわ用水媒体供給具であって、液体タンクと細孔を有する細管とを含んで構成され、これらがうちわ本体に対して着脱自在であることを特徴とするうちわ用水媒体供給具である。
【発明の効果】
【００１７】  請求項１、請求項２の発明によれば、うちわ本体と水媒体の供給経路を別々に設けることにより、液体タンクを取り外してうちわを使用することが可能で、例えば液体タンクが満タンの場合、満タンの液体タンクを振って扇がなければならず、手への負担は液体タンクの重さの分だけ増すことになるが、着脱式にすることにより手への負担が軽減される。また液体タンクに支持され扇状に張り出された複数の骨材などに精密な加工を施すことなく容易に生産が可能になる。【００１８】  請求項３の発明によれば、水媒体の供給を調整、遮断し得る調整弁を備えることにより、液体タンクから水媒体の漏れを防ぎ、液体タンクをカバンなどに収納してうちわを使用することが可能になる。【００１９】  請求項４の発明によれば、液体タンクから水媒体を送り出すためのポンプを液体タンクまたは導管に備えることにより、意図した適量の水媒体の供給が可能になる。【００２０】  請求項５の発明によれば、液体タンクと細孔を有する細管とを含んで構成される水媒体供給具をうちわ本体に対して着脱自在にすることにより、既に存在するうちわ、例えば美濃手漉き和紙を利用した「水うちわ」などでの使用が可能になる。【００２１】  以上のように本発明のうちわを利用することにより、例えば夏場の公園でベビーカーを利用する母子は、液体タンクをうちわ本体から取り外し、さらに液体タンクをベビーカーの収納かごに入れてうちわ本体のみでの使用が可能になり、普通のうちわを使用するよりも、母親は、より温度の低下した涼風を子供に扇いであげることが可能になる。
【図面の簡単な説明】
【００２２】
【図１】図１は、本発明の実施例１のうちわの斜視図である。
【図２】図２は、実施例１の水媒体供給具の斜視図である。
【図３】図３は、実施例１のうちわ本体の斜視図である。
【図４】図４は、実施例２の水媒体供給具の斜視図である。
【図５】図５は、実施例２のうちわ本体の斜視図である。
【図６】図６は、実施例４の水媒体供給具の斜視図である。
【図７】図７は、実施例２の嵌合の一例を示した斜視図である。
【図８】図８は、実施例２の嵌合の変更例を示した斜視図である。
【図９】図９は、実施例３の導管の斜視図である。
【発明を実施するための形態】
【００２３】  本発明の実施形態のうちわは、水媒体を紙や不織布、布などから成る水拡散布に供給し湿潤させ、その水媒体が蒸発する際に周囲から熱を奪う気化熱により温度の低下した涼風を供給可能なうちわであって、前記うちわは、柄部と該柄部に接続された単数または複数の骨材及び前記骨材に水拡散布を張ったシート状の面部とで構成されるうちわ本体と、水媒体を収納する液体タンクとシート状の面部に水媒体を供給する細孔を有する細管とで構成され、前記液体タンクと細孔を有する細管のうち、少なくとも一方がうちわ本体に対して着脱自在であることが望ましい。
【００２４】  本発明の実施形態のうちわは、更に前記液体タンクがうちわ本体に対して着脱自在であることが望ましい。
【００２５】  本発明の実施形態のうちわは、更に導管は液体タンクと細孔を有する細管をつなぐもので、前記液体タンクまたは導管に水媒体の供給を調整、遮断し得る調整弁を備えることが望ましい。
【００２６】  本発明の実施形態のうちわは、更に液体タンクから水媒体を送り出すためのポンプを前記液体タンクまたは導管に備えることが望ましい。
【００２７】  本発明の実施形態の水媒体供給具は、前記うちわに使用されるうちわ用水媒体供給具であって、液体タンクと細孔を有する細管とを含んで構成され、これらがうちわ本体に対して着脱自在であることが望ましい。
【実施例１】
【００２８】  以下、本発明に係るうちわについて、図を参照しつつ説明する。
実施例１はうちわ本体（１）対して水媒体供給具の細孔を有する細管（６）と液体タンク（７）を着脱自在するものである。
図１は本発明の実施例１のうちわの実施形態を示す斜視図であり、水媒体を水拡散布に供給し湿潤させ、その水媒体の気化熱により温度の低下した涼風を供給可能な、うちわの柄部と該柄部に接続された複数の骨材およびこれらに張られた水拡散布で構成されるシート状の面部（３）を備える図３のうちわ本体（１）と、水媒体をシート状の面部（３）に供給する図２の水媒体供給具である細孔を有する細管（６）と液体タンク（７）とが、着脱自在な結合具であるクリップ（５）により結合したものである。【００２９】  これより図１を、図２と図３を用いて説明する。
図３は図１のうちわ本体（１）の斜視図で、うちわ本体（１）はシート状の面部（３）とうちわ柄部（２）で構成される。
シート状の面部（３）は円形の外骨（２１）と前記外骨の内側に施された複数の内骨（２２）に水拡散布を張ったもので、シート状の面部（３）には持ち手であるうちわ柄部（２）が施されている。
例えば、うちわ本体は形成の容易なプラスチック、また水拡散布は吸水性のある紙、不織布もしくは布等であることが好ましい。【００３０】  図２は図１の水媒体を水拡散布に供給する水媒体供給具の斜視図で、フレーム（４）は液体タンク（７）と細孔を有する細管（６）を固定するためのフレームであり、例えばうちわの扇部に面材が張られていない骨材のみで構成されたフレームで、フレーム（４）にはフレーム柄部（４１）、細孔を有する細管（６）、液体タンク（７）そして調整弁（８１）を有する導管（８）が施され、フレーム柄部（４１）にはクリップ（５）が、細孔を有する細管（６）には細孔（６１）が施されている。
フレーム（４）、フレーム柄部（４１）は形成の容易な、例えばプラスチックであることが好ましい。【００３１】  クリップ（５）は着脱自在な結合具で、フレーム柄部（４１）に施され、例えばプラスチック製の「ダブルクリップ」が採用できる。図２のフレーム柄部（４１）は図３のうちわ柄部（２）と同じくらいの大きさで、フレーム柄部（４１）とうちわ柄部（２）を重ね合わせクリップ（５）で挟むことにより、図２の水媒体供給具である細孔を有する細管（６）と液体タンク（７）は図３のうちわ本体（１）と結合される。
また、クリップの別例として例えば目玉クリップや面ファスナーが採用でき、面ファスナーの一例として片面にプラスチックフック・片面に織物ループの付いた両面タイプのマジックテープ（登録商標）なども採用できる。【００３２】  液体タンク（７）は水媒体を収納する容器で、液体タンク（７）には液体タンク（７）から水媒体を送り出すポンプ（７１）、水媒体を液体タンク（７）に取り入れるための取水口（７２）が施され、さらに取水口（７２）には取水口をふさぐためのキャップ（図示省略）が施されている。
液体タンク（７）、キャップは形成の容易な、例えばプラスチックであることが好ましい。【００３３】  ポンプ（７１）は弾性変形する素材、例えば外から力を加えると変形し、また力を除くと元に戻るゴム状の性質の素材で出来た突起で、ポンプ（７１）を押すことによりタンク内の圧力が高まり、液体タンク（７）から水媒体は導管（８）へ送り出される。
また、ポンプ機能を備えることにより適量の水媒体の供給が可能となる水媒体供給具の例として玩具の水鉄砲や注射器などが挙げられる。【００３４】  図２の細孔を有する細管（６）は図３のシート状の面部（３）に水媒体を供給するための細管で、柔軟性のあるビニールのチューブ、例えば医療用の点滴チューブなどが採用でき、前記細管には微細な穴である細孔（６１）が多数施され、細孔（６１）から水媒体はシート状の面部（３）に供給される。尚、図２の細孔を有する細管（６）の先端は塞がれている。
前記複数の細孔（６１）の数や配置や孔の大きさは、ポンプ（７１）の圧力や、細孔を有する細管（６）の径や長さ、細孔を有する細管（６）と導管（８）の連結位置などを考慮して最適な設定を行うことが好まし。【００３５】  図２の導管（８）は、液体タンク（７）と細孔を有する細管（６）を連通してつなぐ導管で、柔軟性のあるビニールのチューブが好ましく、例えば医療用の点滴チューブなどが採用できる。【００３６】  調整弁（８１）は液体の流路を遮断（封止）、開放（開通）する調整弁で導管（８）に施され、例えば鉗子やクリップが採用でき、鉗子やクリップで導管（８）を挟み液体の流路を遮断、開放することが可能である。さらにプラスチック製の医療用の点滴の流量を調整するクレメン（クランプ部材）やボールコック、ボールバルブなども採用できる。
鉗子やクリップは、例えば形成の容易なプラスチック製のものや錆びにくいステンレス製であることが好ましい。また、調整弁として、例えば液体を送る管の開閉や流量を調整する栓（バルブ）がついている蛇口を液体タンク（７）に施し、蛇口に導管を繋ぐことも可能である。【００３７】  実施例１の水媒体の流路として、液体タンク（７）は導管（８）を介し細孔を有する細管（６）と連通しており、液体タンク（７）の取水口（７２）から液体タンク（７）に取り入れられた水媒体は、ポンプ（７１）によって調整弁（８１）を備える導管（８）を介し細孔を有する細管（６）へ送り出され、細孔を有する細管（６）の細孔（６１）からシート状の面部（３）に供給される。尚、水媒体が液体タンク（７）からシート状の面部（３）に供給された後、液体タンク内の圧力は細孔（６１）から空気が取り込まれ調整される。【００３８】  尚、実施例１の水媒体供給具は、後ほど実施例４で説明する既に存在するうちわに対しても使用することが可能である。
【実施例２】
【００３９】  実施例２はうちわ本体（１）に対して水媒体供給具の液体タンク（７）を着脱自在するものである。
図５は実施例２のうちわ本体（１）の斜視図で、うちわ本体（１）はシート状の面部（３）とうちわ柄部（２）で構成される。シート状の面部（３）は円形の外骨（２１）と前記外骨の内側に施された複数の内骨（２２）に水拡散布を張ったもので、シート状の面部（３）には  持ち手であるうちわ柄部（２）と細孔を有する細管（６）が、またうちわ柄部（２）には嵌合の穴（５１）施され、細孔を有する細管（６）には細孔（６１）、導管連結具（６２）が施されている。
例えば、うちわ本体の骨材は形成の容易なプラスチック、また水拡散布は吸水性のある紙、不織布もしくは布等であることが好ましい。【００４０】  図４は、実施例２の水媒体供給具の斜視図で、液体タンク（７）には液体タンク柄部（４２）、導管（８）、取水口（７２）が施され、液体タンク柄部（４２）には嵌合の軸（５２）が施され、導管（８）には栓（８２）、栓の紐（８３）が施され、取水口（７２）にはキャップ（図示省略）が施されている。【００４１】  図４の液体タンク柄部（４２）は液体タンク（７）に施され、前記柄部の大きさは図５のうちわ柄部（２）と同じくらいの大きさで、液体タンク柄部（４２）には嵌合部の軸（５２）が施されている。
液体タンク柄部（４２）、嵌合部の軸（５２）は形成の容易な、例えばプラスチックであることが好ましい。【００４２】  実施例２は着脱自在な結合具として嵌合を採用し、嵌合とは軸と穴のはまり合いの結合方法である。図７は、実施例２の嵌合の一例を示した斜視図で、図４の液体タンク柄部（４２）と図５のうちわ柄部（２）を拡大した図で、液体タンク柄部（４２）に施された嵌合部の軸（５２）とうちわ柄部（２）に施された嵌合部の穴（５１）とがはまり合い、液体タンク柄部（４２）とうちわ柄部（２）が結合されることによって図４の水媒体供給具である液体タンク（７）は図５のうちわ本体（１）と結合される。【００４３】  図８は嵌合の別の例の斜視図で、図４の液体タンク柄部（４２）と図５のうちわ柄部（２）を拡大した図で、液体タンク柄部（４２）にうちわ柄部（２）が通る枠である嵌合部の枠（５３）を施したもので、前記嵌合部の枠（５３）にうちわ柄部（２）を通し液体タンク柄部（４２）とうちわ柄部（２）とが結合されることによって図４の水媒体供給具である液体タンク（７）は図５のうちわ本体（１）と結合される。
液体タンク柄部（４２）、嵌合部の枠（５３）は形成の容易な、例えばプラスチックであることが好ましい。【００４４】  図４の液体タンク（７）は水媒体を収納する容器で、弾性変形する例えばゴム状の性質の素材の液体タンクを採用することにより液体タンク自体がポンプ機能を有し、液体タンク（７）を押すことによりタンク内の圧力が高まり内在する水媒体は液体タンク（７）から押し出され導管（８）へ送り出される。また、液体タンク（７）には水媒体を液体タンク（７）に取り入れるための取水口（７２）が施され、さらに取水口（７２）には取水口を塞ぐためのキャップ（図示省略）が施されている。
キャップは形成の容易な、例えばプラスチックであることが好ましい。【００４５】  図４の導管（８）は液体タンク（７）と細孔を有する細管（６）を連通してつなぐ導管で、柔軟性のあるビニールのチューブであることが好ましく、例えば医療用の点滴チューブなどが採用でき、栓（８２）を導管（８）の先端にはめることにより水媒体の漏れを防ぐことができ、栓（８２）は紛失しないよう導管（８）と栓の紐（８３）でつながれていることが好ましい。
栓（８２）、栓の紐（８３）は形成の容易な、例えばプラスチックであることが好ましい。【００４６】  図５の細孔を有する細管（６）はシート状の面部（３）に水媒体を供給するための細管でシート状の面部（３）に施され、柔軟性のあるビニールのチューブ、例えば医療用の点滴チューブなどが採用でき、前記細管には微細な穴である細孔（６１）が多数施され、細孔（６１）から水媒体はシート状の面部（３）に供給される。尚、図５の細孔を有する細管（６）の両端は塞がれている。
前記複数の細孔（６１）の数や配置や孔の大きさは、ポンプの圧力や、細孔を有する細管（６）の径や長さ、細孔を有する細管（６）と導管（８）の連結位置などを考慮して最適な設定を行うことが好まし。【００４７】  実施例２の水媒体の流路として、導管連結具（６２）は導管（８）と細孔を有する細管（６）をつなぐ連結具で、図５の細孔を有する細管（６）に施された導管連結具（６２）と図４の導管（８）とが連結することにより、液体タンク（７）は導管（８）を介し細孔を有する細管（６）と連通し、液体タンク（７）の取水口（７２）から液体タンク（７）に取り入れられた水媒体は、液体タンク（７）を押すことにより、導管（８）を介し細孔を有する細管（６）へ送り出され、細孔を有する細管（６）の細孔（６１）からシート状の面部（３）に供給される。尚、水媒体が液体タンク（７）からシート状の面部（３）に供給された後、液体タンク内の圧力は細孔（６１）から空気が取り込まれ調整される。
【実施例３】
【００４８】  実施例３は実施例２別形態での液体タンクに付随するポンプの代わりに導管にポンプを採用したもので、図４、図５、図９を用いて説明する。
図９は図４の導管（８）に導管ポンプ（８４）、逆止弁（８５）、逆止弁（８６）を施した斜視図である。
導管ポンプ（８４）は弾性変形する中空の突起で、導管（８）に連通する様に施されたもので、例えば灯油ポンプの仕組みを利用したものが採用でき、導管ポンプ（８４）を押し、そして放すことによって液体タンク（７）から導管ポンプ（８４）内に取り込まれた水媒体は、次に導管ポンプ（８４）を押すことにより突起内の圧力が高まり導管ポンプ（８４）から図５の細孔を有する細管（６）へ送り出される。
また、逆止弁（８５）、逆止弁（８６）は水媒体が液体タンクに逆流しないように導管ポンプ（８４）の前後の導管に施され、逆止弁（８５）、逆止弁（８６）は形成の容易な、例えばプラスチックであることが好ましい。
実施例３では図４の液体タンク（７）は形成の容易な、例えばプラスチックであることが好ましい。【００４９】  また、吸気口（図示省略）は液体タンク（７）に空気を取り込むための穴で液体タンク（７）に施され、水媒体が液体タンク（７）から導管ポンプ（８４）に取り込まれた後、吸気口（図示省略）から液体タンク（７）に空気が取り込まれ液体タンク内の圧力は調整される。吸気口には吸気口キャップ（図示省略）が施され、水媒体の供給後は吸気口キャップで吸気口を塞ぎ水媒体の漏れを防ぐことができる。また取水口を吸気口として採用することも可能である。
吸気口キャップは形成の容易な、例えばプラスチックであることが好ましい。【００５０】  実施例３の水媒体の流路として、図５の細孔を有する細管（６）に施された導管連結具（６２）と図４の導管（８）とが連結することにより、液体タンク（７）は導管（８）を介し細孔を有する細管（６）と連通し、液体タンク（７）の取水口（７２）から液体タンク（７）に取り入れられた水媒体は、導管（８）に施された図９の導管ポンプ（８４）を押すことにより、細孔を有する細管（６）へ送り出され、細孔を有する細管（６）の細孔（６１）からシート状の面部（３）に供給される。
【実施例４】
【００５１】  実施例４は既に存在するうちわに対して水媒体供給具を着脱自在するもので、図６は実施例１の水媒体供給具で、前記水媒体供給具のフレーム柄部の代わりに、既に存在するうちわ、例えば美濃手漉き和紙を利用した「水うちわ」の柄部と同じくらいの大きさのフレーム柄部（４１）をフレーム（４）に施したものである。【００５２】  前記フレーム柄部（４１）には着脱自在な結合具の面ファスナー（５４）が施され、フレーム柄部（４１）と既に存在するうちわ、例えば美濃手漉き和紙を利用した「水うちわ」の柄部とを重ね合わせ面ファスナー（５４）で巻き付け固することで、図６の水媒体供給具である細孔を有する細管（６）と液体タンク（７）は前記うちわと結合される。面ファスナー（５４）は例えば片面にプラスチックフック・片面に織物ループの付いた両面タイプのマジックテープ（登録商標）が採用でき、またフレーム柄部（４１）は形成の容易な、例えばプラスチックであることが好ましい。
面ファスナー（５４）の別例として、例えば目玉クリップやダブルクリップなども採用できる。【００５３】  尚、実施例１のクリップや嵌合部、実施例２の面ファスナーを柄部に設けない結合方法として、例えば多孔構造の細管（６）と液体タンク（７）のそれぞれにクリップを施し、多孔構造の細管（６）と液体タンク（７）のそれぞれをうちわ本体（１）と結合することが可能である。
また、多孔構造の細管（６）と液体タンク（７）それぞれに嵌合部の軸（５２）を、うちわ本体（１）に嵌合部の穴（５１）を施し、嵌合により結合することも可能である。【００５４】  液体タンク（７）や多孔構造の細管（６）、フレーム（４）の形状さらにクリップ（５）や嵌合部の数や位置はこの実施例の限りではない。例えば、多孔構造の細管（６）や液体タンク（７）、導管（８）の大きさ、長さ、デザイン等によりフレーム（４）は円形や楕円形またローマ字のＨ型、Ｔ型、Ｕ型などの形状も採用でき、クリップ（５）や嵌合部、柄部においてもその数を増加させたり、取り付け位置を変えたりすることも可能である。また、クリップや嵌合、面ファスナーなどのさまざまな形状の着脱方法を採用することが可能である。【００５５】  なお、本発明は上記した実施例に限定されるものではなく、様々な大きさ、形態、形状、材質が含まれる。例えば、上記した実施例は本考案を分かりやすく説明するために詳細に示したものであり、必ずしも説明した全ての構成を備えるものに限定されるものではない。【００５６】  また、ある実施例の構成、結合、連結について、構成の一部を追加、削除、置換、固定することが可能である。
【産業上の利用可能性】
【００５７】  本発明は、水媒体を水拡散布に供給し湿潤させ、その水分の気化熱により温度の低下した涼風を供給可能とするもので、うちわや扇子、様々な大きさ、形状のシートでの利用が考えられる。
【符号の説明】
【００５８】１・・・・・うちわ本体
２・・・・・うちわ柄部
２１・・・・外骨
２２・・・・内骨
３・・・・・シート状の面部
４・・・・・フレーム
４１・・・・フレーム柄部
４２・・・・液体タンク柄部
５・・・・・クリップ
５１・・・・嵌合部の穴
５２・・・・嵌合部の軸
５３・・・・嵌合部の枠
５４・・・・面ファスナー
６・・・・・細孔を有する細管
６１・・・・細孔
６２・・・・導管連結具
７・・・・・液体タンク
７１・・・・ポンプ
７２・・・・取水口
８・・・・・導管
８１・・・・調整弁
８２・・・・栓
８３・・・・栓の紐
８４・・・・導管ポンプ
８５・・・・逆止弁
８６・・・・逆止弁
【図１】
2020175110.tif 000003
【図２】
2020175110.tif 000004
【図３】
2020175110.tif 000005
【図４】
2020175110.tif 000006
【図５】
2020175110.tif 000007
【図６】
2020175110.tif 000008
【図７】
2020175110.tif 000009
【図８】
2020175110.tif 000010
【図９】
2020175110.tif 000011
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
うちわ柄部と、前記うちわ柄部に接続された単数または複数の骨材と、前記骨材に水拡散布を張ったシート状の面部とで構成されるうちわ本体に対して着脱自在に取り付けられるうちわ用水媒体供給具であって、
水媒体を収納する液体タンクと、
前記液体タンクを前記うちわ柄部に外付けで着脱自在に取り付けられる結合具と、
前記液体タンクに接続されるとともに前記面部に対して外付けで配置される細管とを備え、
前記細管の外周面には、前記面部に水媒体を供給する複数の細孔が形成されているうちわ用水媒体供給具。
【請求項２】
前記液体タンクは、導管を介して前記細管と接続されており、前記液体タンク又は前記導管には、水媒体の供給を調整、遮断し得る調整弁が設けられている請求項１記載のうちわ用水媒体供給具。
【請求項３】
前記液体タンク又は前記導管には、水媒体を送り出すためのポンプが設けられている請求項１又は請求項２記載のうちわ用水媒体供給具。
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
うちわ柄部と、前記うちわ柄部に接続された単数または複数の骨材と、前記骨材に水拡散布を張ったシート状の面部とで構成されるうちわ本体に対して着脱自在に取り付けられるうちわ用水媒体供給具であって、
水媒体を収納する液体タンクと、
前記液体タンクを前記うちわ柄部に外付けで着脱自在に取り付けられる結合具と、
前記液体タンクに接続されるとともに前記面部に対して外付けで配置されるチューブ状の細管とを備え、
前記細管の外周面には、前記面部に水媒体を供給する複数の細孔が形成されており、前記液体タンクは、チューブ状の導管を介して前記細管と接続されているうちわ用水媒体供給具。
【請求項２】
前記液体タンク又は前記導管には、水媒体の供給を調整、遮断し得る調整弁が設けられている請求項１記載のうちわ用水媒体供給具。
【請求項３】
前記液体タンク又は前記導管には、水媒体を送り出すためのポンプが設けられている請求項１又は請求項２記載のうちわ用水媒体供給具。